(57)【要約】      （修正有）【課題】構造が簡単で取り付けやすく、材料を省くことができ、しかも、使用時に定規にぶつけることがなく、寿命を延したブレーキ定規の鍵付き定規装置を提供する。【解決手段】正面の定規カバー１と反対の定規カバー７の間に定規の芯２を備え、定規の芯に定規３を巻いており、定規の芯のサイドカバー２ａの片側にボタン４を備え、ボタンの片側にボタンの吊り具４ａを備え、ボタンの吊り具の下部にスプリング５が付いている。ボタンの下部に斜めの錐形のブレーキブロック６を備え、ブレーキブロックをボタンに接続し、ボタンはボタンの吊り具を通して定規カバー７の内側に繋げる。【選択図】図１
0003193501.tif 000002
【実用新案登録請求の範囲】
【請求項１】
新型のブレーキ定規の芯の鍵付き定規装置であり、その特徴は、正面の定規のカバー（１）、定規の芯（２）、定規の芯のサイドカバー（２ａ）、定規（３）、ボタン（４）、ボタン吊り具（４ａ）、スプリング（５）、斜めの錐形のブレーキブロック（６）、反対の定規カバー（７）；正面の定規のカバー（１）と反対の定規のカバー（７）の間に定規の芯（２）を備え、定規の芯（２）に定規（３）を接続し、定規（２）の片側に定規の芯のサイドカバー（２ａ）を備え、定規の芯のサイドカバー（２ａ）の片側にボタン（４）を備え、ボタン（４）の片側にボタン吊り具（４ａ）を備え、ボタン吊り具（４ａ）の下部カバーにスプリング（５）を接続しており、ボタン（４）の下部に錐形のブレーキブロック（６）を備え、しかも、斜めの錐形のブレーキブロック（６）をボタン（４）に接続し、ボタン（４）はボタンの吊り具（４ａ）を反対の定規のカバー（７）の内側に接続することを特徴とする新型のブレーキ定規の芯の鍵付き定規装置。
【考案の詳細な説明】
【技術分野】
【０００１】
この実用新案は定規技術分野にかかわり、具体的に一種の新型ブレーキ定規の芯の鍵付き定規装置にかかわる。
【背景技術】
【０００２】
定規は日常生活の中で常用の測り具である。定規を使用するときに、ブレーキ定規の構造を用いるが、いまのブレーキ装置は定規の口の前方にあり、構造が比較的に複雑であるが、取り付けが便利ではなく、材料が無駄になり、生産効率が低下していた、と同時に、普通のブレーキ定規装置の原理はブレーキ定規で、定規の使用寿命を短縮することになる。
【考案の概要】
【考案が解決しようとする課題】
【０００３】
この実用新案の目的は一種の新型ブレーキ定規の鍵付き定規装置を提供し、その構造が簡単で、取り付けやすく、材料を省くことができ、生産効率を高めた、しかも、そのブレーキを使用するときに、定規にぶつけることがなく、定規の使用寿命を延した。
【課題を解決するための手段】
【０００４】
背景の技術に存在する問題を解決するために、この実用新案は以下の技術案を用いる：正面の定規カバー１、定規の芯２、定規の芯のサイドカバー２ａ、定規３、ボタン４、ボタンの吊り具４ａ、スプリング５、斜めの錐形のブレーキブロック６、反対の定規カバー７；正面の定規カバー１と反対の定規カバー７の間に定規の芯２を備え、定規の芯２に定規３を接続し、定規の芯２の片側に定規の芯のサイドカバー２ａを備え、定規のサイドカバー２ａの片側にボタン４を備え、ボタン４の片側にボタン吊り具４ａを備え、ボタン吊り具４ａの下部カバーにスプリング５を接続し、ボタン４の下部に斜めの錐形のブレーキブロック６を備え、しかも、錐形のブレーキブロック６にボタン４を接続する、ボタン４はボタン吊り具４ａを通して反対の定規カバー７の内側に接続する。
【考案の効果】
【０００５】
この実用新案は以下の有益の効果を備える：その構造が簡単で、取り付けやすく、材料を省くことができ、生産効率を高めた、しかも、そのブレーキを使用するときに定規にぶつけることがなく、定規の使用寿命を延した。
【図面の簡単な説明】
【０００６】
【図１】この実用新案の構造の表示図である。
【図２】この実用新案における定規の芯２のそとの円周構造の表示図である。
【図３】この実用新案における定規３の構造表示図である。
【図４】この実用新案における定規の芯２の断面図である。
【図５】この実用新案におけるボタン４と斜めの錐形ブレーキブロック６の接続構造表示図である。
【図６】この実用新案におけるボタン４と反対の定規カバー７の接続構造表示図である。
【図７】この実用新案におけるボタン４と反対の定規カバー７を接続したあとの側面図である。
【図８】この実用新案における定規の芯２の構造表示図である。
【図９】この実用新案定規２の鍵を解く構造表示図である。
【図１０】この実用新案ボタン４と定規の芯２の接続構造表示図である。
【考案を実施するための形態】
【０００７】
図１−１０を参照し、この具体的な実施形態は以下の技術案を用いる：
それは正面の定規カバー１、定規の芯２、定規のサイドカバー２ａ、定規３、ボタン４、ボタン吊り具４ａ、スプリング５、斜めの錐形のブレーキブロック６、反対の定規カバー７；正面の定規カバー１と反対の定規カバー７の間に定規の芯２を備え、定規の芯２に定規３を接続し、定規の芯２の片側に定規の芯のサイドカバー２ａを備え、定規の芯のサイドカバー２ａの片側にボタン４を備え、ボタン４の片側にボタン吊り具４ａを備え、ボタン吊り具４ａの下部カバーにスプリング５を接続しており、ボタン４の下部に斜めの錐形のブレーキブロック６を備え、しかも、斜めの錐形ブレーキブロック６とボタン４に接続し、ボタン４はボタン吊り具４ａを通して反対の定規カバー７の内側に接続する。
【０００８】
この具体的な実施形態は構造が簡単で、取り付けやすく、材料を省くことができ、生産効率を高めた、しかも、そのブレーキを使用するときに定規にぶつけることがなく、定規の使用寿命を延した。
【符号の説明】
【０００９】
１  正面の定規カバー
２  定規の芯
２ａ  定規のサイドカバー
３  定規
４  ボタン
４ａ  ボタン吊り具
５  スプリング
６  斜めの錐形のブレーキブロック
７  反対の定規カバー
【図１】
0003193501.tif 000003
【図２】
0003193501.tif 000004
【図３】
0003193501.tif 000005
【図４】
0003193501.tif 000006
【図５】
0003193501.tif 000007
【図６】
0003193501.tif 000008
【図７】
0003193501.tif 000009
【図８】
0003193501.tif 000010
【図９】
0003193501.tif 000011
【図１０】
0003193501.tif 000012
【手続補正書】
【提出日】平成26年7月28日(2014.7.28)
【手続補正１】
【補正対象書類名】実用新案登録請求の範囲
【補正対象項目名】全文
【補正方法】変更
【補正の内容】
【実用新案登録請求の範囲】
【請求項１】
新型のブレーキ定規の芯の鍵付き定規装置であり、正面の定規のカバー（１）、定規の芯（２）、定規の芯のサイドカバー（２ａ）、定規（３）、ボタン（４）、ボタン吊り具（４ａ）、スプリング（５）、斜めの錐形のブレーキブロック（６）、反対の定規カバー（７）を有し、正面の定規のカバー（１）と反対の定規のカバー（７）の間に定規の芯（２）を備え、定規の芯（２）に定規（３）を接続し、定規（２）の片側に定規の芯のサイドカバー（２ａ）を備え、定規の芯のサイドカバー（２ａ）の片側にボタン（４）を備え、ボタン（４）の片側にボタン吊り具（４ａ）を備え、ボタン吊り具（４ａ）の下部カバーにスプリング（５）を接続しており、ボタン（４）の下部に錐形のブレーキブロック（６）を備え、しかも、斜めの錐形のブレーキブロック（６）をボタン（４）に接続し、ボタン（４）はボタンの吊り具（４ａ）を反対の定規のカバー（７）の内側に接続することを特徴とする新型のブレーキ定規の芯の鍵付き定規装置。